(57)【要約】【課題】二人がともに横になりながらテレビを観ようとする場合、二人とも一つの腰掛け部に横になることとなり、前の人の頭部や肩あたりが後ろの人にとって邪魔になってしまう。【解決手段】前側の腰掛け部１０とそのすぐ後側の腰掛け部２０のそれぞれが、こぼれ止め１１，２１と、腰掛け部１０，２０を支持する架台としての脚部１２，２２とを備え、前側の脚部１２と後側の脚部２２とは、互いに分離可能に連結され、床面Ｆから後側の腰掛け部２０の上面までの高さ寸法を、床面Ｆから前側の腰掛け部１０の上面までの高さ寸法よりも大きくした。【選択図】図１
2010264152.tif 000002
【特許請求の範囲】
【請求項１】
床面上に前後方向へ並ぶ複数の腰掛け部と、前記腰掛け部のそれぞれを前記床面上から所定高さに支持する複数の架台とから構成され、
互いに隣接する２つの前記腰掛け部のうち前側に位置する前記腰掛け部の上面よりも後側に位置する前記腰掛け部の上面の方が高く、前側に位置する前記腰掛け部の上面と後側に位置する前記腰掛け部の上面との高さの差が、前側に位置する前記腰掛け部とそのすぐ後ろ側に位置する前記腰掛け部の両方に、人が身体を横たえた姿勢でいるとき、後側に位置する前記腰掛け部に横たわっている人が前方を向いたときの視線を前側に位置する前記腰掛け部に横たわっている人の身体が遮らない寸法とされていることを特徴とするソファ。
【請求項２】
前記腰掛け部のそれぞれの後方側縁部には、該後方側縁部から上方へ突出するこぼれ止めが設けられていることを特徴とする請求項１記載のソファ。
【請求項３】
隣接する一対の前記腰掛け部のうち後側に位置する前記腰掛け部の前記架台が、その腰掛け部における上面の高さを、直前に位置する前記腰掛け部の上面より段階的に調節し得る高さ調節手段を備えていることを特徴とする請求項１または２記載のソファ。
【請求項４】
前記複数の腰掛け部のうち最前部に位置する前記腰掛け部を構成しているクッション材が、該腰掛け部の前方側縁部から後方側縁部に向かって次第に柔軟性を高くするように構成されている請求項１〜３のいずれかに記載のソファ。
【発明の詳細な説明】
【技術分野】
【０００１】
本発明は、リビングルーム等に設置するソファに関する。
【背景技術】
【０００２】
一般的な家庭では、テレビや小型スクリーンでの映像をリビングルームで家族と共に鑑賞することが多い。しかし、通常の家庭では、リビングルームの床面積はそれほど広くはない。しかも、リビングルームには、テーブルなどを含めた家具類や電化製品が置かれていることから、ソファを置くスペースもおのずと限られ、長いソファを置けない場合が多い。
【０００３】
このようにそれほど広くないリビングルームにスペースの許す長さのソファを置き、このソファに家族や友人など複数人が座ってテレビ番組などを鑑賞する場合、限られた長さのソファに身体を寄せ合いながら座ることになる。そのため、一人の時以外には、身体を横にした安楽な姿勢でテレビ番組を鑑賞することなどはとてもできない。仮に、テレビの画面に向くように二人が一つのソファ上に前後するように横になった状態でテレビなどの映像を見ようとすれば、後側で横になっている人は、前の人の身体が邪魔をしてテレビの映像を見ることはできない。従って、リビングルームに置かれているソファで、複数人が上述したようなくつろいだ姿勢でテレビ番組などを鑑賞することは難しかった。
【０００４】
ところで、リビングルームに置かれるソファには、様々な形、或いは機能を持ったものがあり、とりわけテレビを見るときなどに安楽な姿勢で座ることのできるソファとしては、特許文献に開示されているような多機能ソファが知られている。この多機能ソファは、腰掛け部と、この腰掛け部から下方に延びる脚部とを備え、腰掛け部の後部には支柱が立てられていて、その支柱には上部クッションが腰掛け部から浮上したような状態で固定されている。このような多機能ソファによれば、使用者は、腰掛け部に腰掛け、さらに上部クッションに肘を乗せたり、上半身を寄りかからせたりしてくつろぐことができる。
【先行技術文献】
【特許文献】
【０００５】
【特許文献１】特許第４０２１４５４号公報
【発明の概要】
【発明が解決しようとする課題】
【０００６】
しかしながら、特許文献に開示されている多機能ソファでは、上部クッションが、肘をのせたり上半身を寄りかからせたりするために、浮上した状態で支柱に固定されているだけなので、二人がともに横になりながらテレビを観ようとする場合、二人とも一つの腰掛け部に横になることとなり、前の人の頭部や肩あたりが後ろの人にとって邪魔になり、上述したような安楽な姿勢でテレビなどを観ることは難しかった。
【０００７】
本発明の目的は、かかる従来の問題点を解決するためになされたもので、例えば、一般的家庭のリビングルームなどのような比較的狭いスペースに置いたとしても、複数人が同時に横になった安楽な姿勢でテレビなどを鑑賞することが可能なソファを提供することにある。
【課題を解決するための手段】
【０００８】
本発明に係るソファは、床面上に前後方向へ並ぶ複数の腰掛け部と、前記腰掛け部のそれぞれを前記床面上から所定高さに支持する複数の架台とから構成され、互いに隣接する２つの前記腰掛け部のうち前側に位置する前記腰掛け部の上面よりも後側に位置する前記腰掛け部の上面の方が高く、前側に位置する前記腰掛け部の上面と後側に位置する前記腰掛け部の上面との高さの差が、前側に位置する前記腰掛け部とそのすぐ後ろ側に位置する前記腰掛け部の両方に、人が身体を横たえた姿勢でいるとき、後側に位置する前記腰掛け部に横たわっている人が前方を向いたときの視線を前側に位置する前記腰掛け部に横たわっている人の身体が遮らない寸法とされていることを特徴とする。
【０００９】
本発明に係るソファは、前記腰掛け部のそれぞれの後方側縁部には、該後方側縁部から上方へ突出するこぼれ止めが設けられていることを特徴とする。
【００１０】
本発明に係るソファの他の実施形態として、隣接する一対の前記腰掛け部のうち後側に位置する前記腰掛け部の前記架台が、その腰掛け部における上面の高さを、直前に位置する前記腰掛け部の上面より段階的に調節し得る高さ調節手段を備えていることを特徴とする。
【００１１】
本発明に係るソファの他の実施形態として、前記複数の腰掛け部のうち最前部に位置する前記腰掛け部を構成しているクッション材が、該腰掛け部の前方側縁部から後方側縁部に向かって次第に柔軟性を高くするように構成されていることを特徴とする。
【発明の効果】
【００１２】
本発明に係るソファによれば、これを比較的狭いリビングルームなどに設置して、テレビ番組やスクリーン映像を鑑賞する場合、画面に最も近い前側の腰掛け部から最も後方側の腰掛け部に亘ってその高さが階段状に順次高くなっているので、いずれの腰掛け部で横になっている人もそれより前側の腰掛け部に横になっている人の身体で視線が遮られることがなく、全員が心地よくテレビ番組やスクリーン映像を楽しむことができる。
【００１３】
また、本発明に係るソファによれば、腰掛け部のそれぞれの後方側縁部には、後方側縁部から上方へ突出するこぼれ止めが設けられているので、腰掛け部の座面に横になっている人が誤って床面に落ちたり、あるいは座面に置いた物が床面に落ちたりすることがない。
【００１４】
また、本発明に係るソファによれば、隣接する一対の腰掛け部のうち後側に位置する腰掛け部の架台が、その腰掛け部における上面の高さを、直前に位置する腰掛け部の上面より段階的に調節し得る高さ調節手段を備えているので、前側の腰掛け部に横になっている人の体格に応じて、後側の腰掛け部に横になる人の前方への視線が前の人の身体に遮られない高さまで後側の腰掛け部の高さ寸法を長くすることができる。また、後側の腰掛け部（２つ以上ある場合は、それら全て）の上面と前側の腰掛け部上面とをほぼ同一の高さにすれば、それらが一つの広いソファになって、その座面上を幼児の遊ぶ場所、囲碁、将棋、ゲーム等娯楽の場所にするなど多目的に利用することができる。
【００１５】
また、本発明に係るソファによれば、最前部に位置する腰掛け部を構成しているクッション材の柔軟性を、その前方側縁部から後方側縁部に向かって次第に増加させているので、その腰掛け部の前方側縁部に腰掛けた際に、使用者の臀部が腰掛け部にさほど沈むことがなく、使用者が後方にのけぞることがない。従って、このソファは食卓テーブルと組み合わせることで、いわゆるダイニングセットの椅子とすることができ、ダイニングルームやリビングルームのスペースに制約がある場合には、このソファを多用途に利用することができる。
【図面の簡単な説明】
【００１６】
【図１】本発明の第１実施形態に係るソファの斜視図。
【図２】図１に示されるソファの側面図。
【図３】図１に示されるソファの正面図。
【図４】図１に示されるソファの背面図。
【図５】図１のソファにおける脚部の接地部を示す平面図。
【図６】図１のソファにおける前側の腰掛け部を示す断面図。
【図７】図１のソファにおける後側の腰掛け部を示す断面図。
【図８】本発明の第２実施形態に係るソファを示し、図８（Ａ）は後側の腰掛け部が最高位置にあるときの側面図、図８（Ｂ）は後側の腰掛け部が最低位置にあるときの側面図。
【図９】本発明の第２実施形態に係るソファを示す、図９（Ａ）は後側の腰掛け部が最高位置にあるときの脚部の断面図、図９（Ｂ）は後側の腰掛け部が最低位置にあるときの脚部の断面図。
【図１０】本発明の第２実施形態に係るソファの架台としての脚部の接地部を示す平面図。
【発明を実施するための形態】
【００１７】
以下、本発明のソファを添付の図に示される好適な実施形態についてさらに詳細に説明する。なお、説明の便宜上、床面上に前後方向へ並ぶ腰掛け部を２つとした実施形態を示している。図１は、本発明の第１実施形態に係るソファＳ１の全体を示す斜視図である。図１において矢印Ａで示す方向を「前後方向」といい、図１で見て左方を「前方」、右方を「後方」という。また、前後方向Ａに直交すると共に床面Ｆに沿う方向Ｂを「横方向又は幅方向」という。図２は、図１に示されるソファＳ１を横方向から見た側面図、図３は、図１に示されるソファＳ１を前方から見た正面図、図４は、図１に示されるソファＳ１を後方から見た背面図である。
【００１８】
ソファＳ１は、前側に位置する腰掛け部１０と後側に位置する腰掛け部２０とを備え、腰掛け部１０と腰掛け部２０とは、前後方向Ａに隣接して並んで床面Ｆ上に設置されている。腰掛け部１０は、前後方向Ａに直交し且つ床面Ｆに沿う横方向Ｂに長いほぼ直方体形状を呈している。この腰掛け部１０における後方側縁部には、上面（座面）１０ａから人や物が落下するのを防ぐために、座面１０ａから上方へ突出するこぼれ止め１１が設けられ、また腰掛け部１０の下面には、この腰掛け部１０を床面Ｆから所定の高さに支持する架台としての脚部１２が設けられている。腰掛け部２０も同様に、横方向Ｂに長いほぼ直方体形状を呈し、腰掛け部２０の後方側縁部には、上面から上方へ突出するこぼれ止め２１が設けられ、また、腰掛け部２０の下面には、この腰掛け部２０を床面Ｆから所定の高さに支持する架台としての脚部２２が設けられている。
【００１９】
脚部１２は、腰掛け部１０の下面から下方に延び、かつ横方向Ｂに沿ってほぼ等間隔に配列された４本の支柱１３〜１６を備えている。同様に、脚部２２は、腰掛け部２０の下面から下方に延び、かつ横方向Ｂに沿ってほぼ等間隔に配列された４本の支柱２３〜２６を備えている。腰掛け部１０は、図６に示すように、支持板１７と、この支持板１７の上に載置されるクッション材１８と、これら支持板１７、クッション材１８を包み込む張り地としてのレザーシート１９とから構成されている。クッション材１８は、二つのブロック状のポリウレタンフォーム体（以下、単に「フォーム体」という。）１８a，１８ｂを前後方向に並べたものである。フォーム体１８ａと１８ｂとが接している境界３０は、腰掛け部１０の前方側縁部から後方側縁部に向かって斜め下がりになっている。
【００２０】
フォーム体１８ａの上面における前後方向Ａの長さは、標準的な体形の成人が腰掛けることを前提として、３３０ｍｍとしている。フォーム体１８ｂの上面における前後方向Ａの長さは、４５０ｍｍとしている。そして、フォーム体１８ｂの後方側縁部には、こぼれ止め１１が上方に向けて突設されている。こぼれ止め１１は、前述したように腰掛け部１０の座面１０ａに横になっている人が誤って床面Ｆに落ちたり、あるいは座面１０ａに置いた物が床面Ｆに落ちたりしないようにするためのものであるので、腰掛け部１０の上面１０ａからの高さは１４０ｍｍ前後としている。
【００２１】
フォーム体１８ｂは、フォーム体１８aと比べて柔軟性が高く（柔らかく）されている。従って、フォーム体１８ａとフォーム体１８ｂとの接している境界３０の周辺部分については、腰掛け部１０の前方から後方に向かうほど、腰掛け部１０に腰かけたときの座面１０ａからの反発力が小さくなる。腰掛け部１０のクッション材１８を前述したように前方側を硬く、後方側を柔らかくする理由は、そのソファＳ１が、食事などをするときの椅子としても利用できるようにするためである。すなわち、このソファＳ１の特徴は、比較的狭いリビングルームなどで多目的に使用できるようにすることにある。
【００２２】
そのため、このソファＳ１は、時には前方に食卓テーブルを置いて食事をするときの椅子として利用し、また、時には家族でテレビなどを鑑賞し、さらにその際には、横になった安楽な姿勢でも二人あるいはそれ以上の人が互いに視線を遮ることがないようにするものである。一般的に、ダイニングルームやリビングルームなどで食事をするときに使用する椅子は、できるだけ背筋が伸びるように座面が高反発な素材で構成されている。このような理由から、このソファＳ１は、前側の腰掛け部１０におけるクッション材１８について前方側を特に硬くし、食事をするときには、腰掛け部１０の前方側に座ると、ダイニングテーブルセットで使用されている椅子に座ったときと同じような姿勢をとることができる。
【００２３】
腰掛け部２０は、図７に示すように、支持板２７と、この支持板２７の上に載置されるクッション材２８と、これら支持板２７、クッション材２８を包み込む張り地としてのレザーシート２９とから構成されている。クッション材２８は、単体のフォーム体２８ａから構成され、フォーム体２８ａの後方側縁部には、こぼれ止め２１が上方に向けて突設されている。こぼれ止め２１は、こぼれ止め１１と同様に、腰掛け部２０の上面２０ａからの高さは１４０ｍｍ前後とされている。腰掛け部１０は、図１〜図５に示すように、その座面１０ａが床面Ｆから高さｈ２の位置に、脚部１２によって支持されている。
【００２４】
脚部１２を構成する支柱１３〜１６は、ステンレス材を横方向Ｂから見てロ字状に成形したもので、床面Ｆに沿って接地する真っ直ぐな接地部１３ａ〜１６ａと、これら接地部１３ａ〜１６ａのそれぞれの両端部から立ち上がった一対の立設部１３ｂ〜１６ｂ，１３ｃ〜１６ｃと、上フレーム１３ｄ〜１６ｄとからなる。支柱１３〜１６の上フレーム１３ｄ〜１６ｄは、腰掛け部１０の支持フレーム１７にビス（図示省略）など周知の手段で固定されている。立設部１３ｂ〜１６ｂと１３ｃ〜１６ｃとは同じ長さである。接地部１３ａ〜１６aは、それらの長手方向を腰掛け部１０の前後方向Ａに向けている。立設部１３ｃ〜１６ｃそれぞれの下端部の間には、３本のステンレス製支持材３１が溶接固定されている。
【００２５】
腰掛け部２０は、図１〜図５に示すように、その上面（座面）２０ａが床面Ｆから高さｈ１の位置に、脚部２２によって支持されている。脚部２２を構成する支柱２３〜２６は、ステンレス材を横方向Ｂから見てロ字状に成形したもので、床面Ｆに沿って接地する真っ直ぐな接地部２３ａ〜２６ａと、これら接地部２３ａ〜２６ａのそれぞれの両端部から立ち上がった一対の立設部２３ｂ〜２６ｂ，２３ｃ〜２６ｃと、上フレーム２３ｄ〜２６ｄとからなる。上フレーム２３ｄ〜２６ｄは、腰掛け部２０の支持フレーム２７にビス（図示省略）など周知の手段で固定されている。立設部２３ｂ〜２６ｂと２３ｃ〜２６ｃとは同じ長さである。接地部２３ａ〜２６aは、それらの長手方向を腰掛け部２０の前後方向Ａに向けている。立設部１３ｃ〜１６ｃそれぞれの下端部の間には、３本のステンレス製支持材３１が溶接固定されている。
【００２６】
立設部１３ｃ〜１６ｃそれぞれの下端部の間には、３本のステンレス製支持材３２が溶接固定されている。支持材３１と支持材３２とは同じ長さであり、隣接している。支持材３１には、図３、図４に示すように、一定の間隔をあけて３つの貫通穴３３ａ〜３５ａが形成され、支持材３２にも支持材３１の各貫通穴３３ａ〜３５ａに対向する位置に貫通穴３３ｂ〜３５ｂが形成されている。そして、各支持材３１，３２は、それらに形成された、互いに対向しあう貫通穴３３ａと３３ｂ、３４ａと３４ｂ、３５ａと３５ｂそれぞれにボルト３６ａ〜３８aを入れ、これらにナット３６ｂ〜３８ｂを螺合して分離可能に締結され、これにより腰掛け部１０と腰掛け部２０とが連結されている。
【００２７】
ところで、床面Ｆから腰掛け部１０の座面１０ａまでの高さは、脚部１２における各支柱１３〜１６の立設部１３ｂ〜１６ｂ，１３ｃ〜１６ｃの長さで決められる。その場合、このソファＳ１が前述したように食事などをするときの椅子としても利用することを目的としているので、床面Ｆと腰掛け部１０の座面１０ａとの間の高さ寸法ｈ２は、食事などをし易いような高さとされている。すなわち、ソファＳ１の腰掛け部１０に平均的な体格の男性又は女性が座ったときに、足が床面Ｆに着いて、かつ膝が９０度くらい無理なく曲がる寸法とすることが好ましく、そのため、この高さ寸法ｈ２を約４３０ｍｍとしている。また、腰掛け部１０の座面１０ａから腰掛け部２０の座面２０ａまでの高さ間隔ｈ３は、腰掛け部２０に横たわる人の前方への視線を、腰掛け部１０に横たわる人の身体が遮らない好ましい寸法として約４１０ｍｍとされている。
【００２８】
さらに具体的には、腰掛け部２０の座面２０ａに横たわる人が前方にあるテレビ等に向けた視線が腰掛け部１０に横たわる人の身体により遮られないようにするには、腰掛け部１０，２０の各座面１０ａ，２０ａ間の高さ間隔ｈ３を４１０ｍｍ以上にすればよいのであるが、腰掛け部１０に座っている人が肘を腰掛け部２０の上面２０ａに乗せるような姿勢でくつろぐこともできるようにするため、この高さ間隔ｈ３をあまり大きくせずに３８０ｍｍ〜４３０ｍｍの範囲にするのがよい。その結果、床面Ｆから腰掛け部２０の上面２０ａまでの高さ寸法ｈ１は、８１０〜８６０ｍｍの範囲で選択されることが好ましい。また、この実施形態では、脚部１２，２２を締結する締結具としてボルト３６ａ〜３８ａ、ナット３６ｂ〜３８ｂを用いて脚部１２，２２を分離可能としているが、脚部１２，２２どうしが溶接等によって互いに固定されていてもよい。
【００２９】
この実施形態に係るソファＳ１によれば、床面Ｆから腰掛け部２０の座面２０ａまでの高さ寸法ｈ１が、床面Ｆから腰掛け部１０の座面１０ａまでの高さ寸法ｈ２より大きくされているので、一人が腰掛け部１０に横になり、同時にもう一人が腰掛け部２０に横になってソファＳ１の前方に設置されたテレビの画面を見ても、腰掛け部１０に横になっている人の頭部や肩あたりが、腰掛け部２０に横になっている人の前方に向けた視線を遮ることがなく、二人が同時に心地よくテレビ等を鑑賞できる。加えて、この実施形態のソファＳ１によれば、腰掛け部１０の座面１０ａと腰掛け部２０の座面２０ａとの高さ間隔ｈ３を４１０ｍｍとすれば、腰掛け部１０に横たわっている人の頭部や肩あたりが後側の腰掛け部２０に横たわっている人の視線を遮らないという利点のほかに、腰掛け部１０に腰かけている人が腰掛け部２０の座面２０ａに肘を乗せたりして安楽、かつ自然な姿勢をとることができる。
【００３０】
なお、男性及び女性の平均的な体格に照らし、腕の屈伸や上げ下げ等の動作を考慮したとき、腰掛け部１０，２０の座面１０ａ，２０ａ間における高さ間隔ｈ３を３８０ｍｍ以上４３０ｍｍ以下にすれば、より多くの人が安楽な姿勢でソファＳ１に座ることができる。なお、本実施形態では、腰掛け部１０，２０を支持する架台として、脚部１３〜１６，２３〜２６を採用したが、引出を備えたいわゆる収納ボックスなどの箱状のものをはじめとしておよそ腰掛け部１０，２０を支持するものであればよい。箱状の架台を採用した場合においても、周知の手段によって架台どうしを分離可能としたもの、互いに結合したものとしてよい。また、クッション材１８，２８を構成するブロック状のフォーム体１８a，１８ｂ，２８ａを複数枚（例えば４枚）の板状に分割し、それらを上下方向に積層するようにしてもよい。こぼれ止め１１，２１は、クッション材１８ｂ，２８ａの一部としないで、腰掛け部１０，２０の後方側縁部から突出した部分を別途のフォーム体で形成してこぼれ止めとしてもよい。
【００３１】
次に、本発明のソファに係る第２実施形態について詳細に説明する。図８は、本発明の第２実施形態に係るソファＳ２を示す側面図、図９は、ソファＳ２の前側及び後側の脚部の断面図、図１０はソファＳ２の前側及び後側の脚部の平面図である。ソファＳ２は、前側の腰掛け部４０と後側の腰掛け部５０とを備え、これら腰掛け部４０と腰掛け部５０とは、前後方向Ａに隣接して並んで床面Ｆ上に設置されている。腰掛け部４０の下面には、該腰掛け部４０を床面Ｆから所定の高さに支持する架台としての脚部４１が設けられている。腰掛け部５０の下面には、この腰掛け部５０を床面Ｆから所定の高さに支持する架台としての脚部５１が設けられている。腰掛け部５０の後方側縁部には、その上面から上方へ突出したこぼれ止め５０ａが設けられている。
【００３２】
脚部４１は、腰掛け部４０の下面から下方に延び、かつ横方向Ｂに沿ってほぼ等間隔に配列された４本の支柱４２〜４５から構成されている。同様に、脚部５１は、腰掛け部５０の下面から下方に延び、かつ横方向Ｅに沿ってほぼ等間隔に配列された４本の支柱５２〜５５から構成されている。なお、腰掛け部４０には、第１実施形態におけるソファＳ１の腰掛け部１０に設けられているこぼれ止め１１に相当する構成がないことを除いて、腰掛け部１０と同じ構成となっている。また、腰掛け部５０は、第１実施形態における腰掛け部２０と同じ構成となっている。
【００３３】
脚部４１を構成する支柱４２〜４５は、床面Ｆに沿って接地する平板で真っ直ぐなステンレス製の接地部４２a〜４５ａと、これら接地部４２ａ〜４５ａのそれぞれの両端部から立ち上がった一対の立設部４２ｂ〜４５ｂ，４２ｃ〜４５ｃと、フレーム材４２ｄ〜４５ｄとからなる。立設部４２ｂ〜４５ｂ及び４２ｃ〜４５ｃは、ステンレス製のパイプ材からなり、上端部には、フレーム材４２ｄ〜４５ｄが取り付けられている。そして、フレーム材４２ｄ〜４５ｄが腰掛け部４０側に取り付けられ、下端部が接地部４２ａ〜４５ａに溶接固定されている。後側脚部５１を構成する支柱５２〜５５は、床面Ｆに沿って接地する平板で真っ直ぐなステンレス製の接地部５２a〜５５ａと、これら接地部５２ａ〜５５ａのそれぞれの両端部から立ち上がった一対の立設部５２ｂ〜５５ｂ，５２ｃ〜５５ｃと、フレーム材５２d〜５５ｄとからなる。
【００３４】
これら立設部５２ｂ〜５５ｂ，５２ｃ〜５５ｃは、いずれも同じ構造で、図９に示すように、床面Ｆから腰掛け部５０の上面５０ｂまでの高さを段階的に調整し得る高さ調整手段を含んで構成されている。具体的には、立設部５２ｂ〜５５ｂ，５２ｃ〜５５ｃは、外側パイプ材６０とこの外側パイプ材６０のパイプ穴に挿通可能な内側パイプ材６１とから構成されている。外側パイプ材６０と内側パイプ材６１とは同じ長さとされている。２本の外側パイプ材６０の下端部は脚部５２の接地部５２ａの両端部に、それぞれ溶接にて固定されている。外側パイプ材６０の長さは前側腰掛け部４０の立設部４２ｂ〜４５ｂ，４２ｃ〜４５ｃと同じ長さになっている。外側パイプ材６０の周壁には、上部と下部にそれぞれ直径方向に貫通穴６２，６３が形成されている。そして外側パイプ材６０に内側パイプ材６１を全長にわたって差し込んだ状態で、貫通穴６２，６３と一致する貫通穴６４，６５が内側パイプ材６１の周壁に形成されている。さらに、内側パイプ材６１の周壁には、貫通穴６４と６５との間に、もう一つの貫通穴６６が、貫通穴６４，６５と同じ向きに形成されている。
【００３５】
図８（Ａ）、図９（Ａ）は、立設部５２ｂ，５２ｃの外側パイプ材６０に形成された上部の貫通穴６２に内側パイプ材６１に形成された下部の貫通穴６５を整合させ、ボルト及びナット等の締結具６７によって締結した状態を示している。この状態では、腰掛け部５０は腰掛け部４０より最も高い位置にある。図８（Ｂ）、図９（Ｂ）は、立設部５２ｂ，５２ｃの外側パイプ材６０に形成された下部の貫通穴６３に内側パイプ材６１の貫通穴６５を整合させ、締結具６７によって締結した状態を示している。この状態では、腰掛け部５０の座面５０ｂと腰掛け部４０の座面４０ｂとはほぼ同一の面上に位置する。なお、この状態において、締結具６７は、貫通穴６２，６４側で締結してもよい。
【００３６】
内側パイプ材６１の長さ方向中間部には貫通穴６６が形成され、この貫通穴６６と外側パイプ材６０の貫通穴６２とを整合させ、ボルト及びナットで締結すれば腰掛け部５０の高さ位置は、最も低い位置（腰掛け部５０の座面５０ｂと腰掛け部４０の座面４０ｂとがほぼ同一面上ある位置）と前述の最も高い位置との中間位置となる。腰掛け部４０における各接地部４２ａ〜４５ａの前後方向Ａの後端部は、１本のステンレス製支持材６９に溶接固定されている。また、脚部５１の各支柱５２〜５５における接地部５２ａ〜５５ａの前後方向Ａの前端部は、１本のステンレス製支持材７０に溶接固定されている。各支持材６９，７０とは同じ長さであり、隣接している。支持材６９には、一定の間隔をあけて３つの貫通穴が形成され、支持材７０にも支持材６９の各貫通穴に対向する位置に貫通穴が形成されている。各支持材６９，７０は、それらに形成された互いに対向しあう貫通穴同士を利用して、第１実施形態で説明したと同様な方法、すなわちボルト及びナットなどの分離可能な締結具７１〜７３によって連結されている。
【００３７】
このように、第２実施形態に係るソファＳ２によれば、脚部５１における各支柱５２〜５５の立設部５２ｂ〜５５ｂ，５２ｃ〜５５ｃを構成している外側パイプ材６０から内側パイプ材６１を引き出したり収納したりして、両者の貫通穴どうしを整合させたところでボルト及びナット等の締結具６７によって止めるので、腰掛け部４０で横になっている人の体格に応じて、腰掛け部５０で横になっている人の視界が確保できるまで腰掛け部５０の高さ寸法を調整することができる。また、腰掛け部５０を下げて、その座面５０ｂと腰掛け部４０の座面４０ｂとをほぼ同一面にして腰掛け部４０と腰かけ部５０とを座面の広い一つのソファのようにすれば幼児の遊ぶ場所、囲碁、将棋、ゲーム等娯楽の場所にするなど多目的に利用することができる。各支持材６９，７０は、それらに形成された互いに対向しあう貫通穴同士を利用して、第１実施形態で説明したと同様な方法、すなわちボルト及びナットなどの分離可能な締結具７１〜７３によって連結されている。なお、本実施形態では、外側パイプ材６０と内側パイプ材６１とを同じ長さとしたが、異なる長さとしてもよい。また、各支持材６９，７０を溶接等によって互いに連結した構成としてもよい。
【００３８】
また、第１、第２実施形態では、床面上に前後方向へ並ぶ２つの腰掛け部を有するソファを示したが、リビングルーム等の広さに応じて３つ以上の腰掛け部を有するソファとしてもよい。また、前側の腰掛け部１０，４０と後側の腰掛け部２０，５０とを連結した場合を示したが、いずれもボルト及びナット等の締結具を外せば前側の腰掛け部１０，４０と後側の腰掛け部２０，５０とをそれぞれ分離して個別のソファとすることもできる。さらに、前側及び後側の腰掛け部の平面視形状を様々なもの（例えば、略扇型、三角型）にして、意匠的な外観性を多様にすることもできる。
【符号の説明】
【００３９】
Ｆ    床面
Ｓ１，Ｓ２    ソファ
１０，４０    腰掛け部（前側）
２０，５０    腰掛け部（後側）
１１，２１，５０ａ    こぼれ止め
１２，４１    脚部（前側）
１３〜１６，４２〜４５    支柱
２２，５１    脚部（後側）
２３〜２６，５２〜５５    支柱
３６ａ〜３８ａ    ボルト（締結具）
３６ｂ〜３８ｂ    ナット（締結具）
６２〜６６    貫通穴
６７    締結具
【図１】
2010264152.tif 000003
【図２】
2010264152.tif 000004
【図３】
2010264152.tif 000005
【図４】
2010264152.tif 000006
【図５】
2010264152.tif 000007
【図６】
2010264152.tif 000008
【図７】
2010264152.tif 000009
【図８】
2010264152.tif 000010
【図９】
2010264152.tif 000011
【図１０】
2010264152.tif 000012